【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
携帯情報機器と無線通信によって通信可能な画像形成装置であって、
前記無線通信によって前記携帯情報機器から受信したデータが、メール形式のデータであるか否かを判断する判断手段と、
前記判断手段によってメール形式のデータであると判断された場合、当該データに含まれるメール本文を画像形成するか当該データに含まれる添付ファイルを画像形成するかをユーザに選択させるための画面を当該データの受信に応じて表示し、前記判断手段によってメール形式のデータでないと判断された場合、画像形成の条件を設定するための設定画面を当該データの受信に応じて表示する表示手段と、
を備えることを特徴とする画像形成装置。
【請求項２】
前記判断手段によってメール形式のデータでないと判断された場合、前記表示手段は当該データの種類に応じて異なる設定画面を当該データの受信に応じて表示することを特徴とする請求項１記載の画像形成装置。
【請求項３】
前記判断手段によってメール形式のデータでないと判断された場合、前記表示手段は当該データが特定の種類のデータであった場合に特定の画像形成の条件に対応する当該設定画面上のボタンを選択不可能にすることを特徴とする請求項１又は２に記載の画像形成装置。
【請求項４】
画像形成装置を使用するユーザに対する認証処理を行う認証手段と、
前記画像形成装置が備える機能のうちユーザ毎に使用を制限された機能を示す機能制限情報を用いて、前記画像形成装置が備える機能を前記認証手段によって認証されたユーザが使用できるか否かを判定する判定手段と、
前記判定手段によって前記ユーザが使用することができない機能の使用を制限する制限手段と、
を備えることを特徴とする請求項１乃至３の何れかに記載の画像形成装置。
【請求項５】
前記表示手段によって表示されるメール本文を画像形成するか添付ファイルを画像形成するかをユーザに選択させるための画面は、画像形成の条件を設定するための設定画面上に、メール本文を画像形成するか添付ファイルを画像形成するかを選択するためのボタンが表示された画面であることを特徴とする請求項１乃至３の何れかに記載の画像形成装置。
【請求項６】
前記判断手段によってメール形式のデータでないと判断されたデータがテキストデータであった場合、前記表示手段は画像形成する対象のデータとしてファイルデータを選択することが制限された設定画面を表示し、前記判断手段によってメール形式のデータでないと判断されたデータがテキストデータでなかった場合、前記表示手段は画像形成する対象のデータとして本文データを選択することが制限された設定画面を表示することを特徴とする請求項１乃至５の何れかに記載の画像形成装置。
【請求項７】
前記表示手段によって表示された設定画面を介して設定された画像形成の条件に従って、前記受信したデータの画像形成を行う画像形成手段を更に有することを特徴とする請求項１乃至６の何れかに記載の画像形成装置。
【請求項８】
携帯情報機器と無線通信によって通信可能な画像形成装置であって、
前記無線通信によって前記携帯情報機器から送信されたメール形式のデータを受信する受信手段と、
前記受信手段によって受信されたメール形式のデータに含まれるメール本文を画像形成するか当該データに含まれる添付ファイルを画像形成するかをユーザに選択させるための画面を、前記受信手段による当該データの受信に応じて表示する表示手段と、
前記表示手段によって表示された画面に基づくユーザの選択に従って、前記メール本文又は前記添付ファイルを画像形成する画像形成手段と、
を有することを特徴とする画像形成装置。
【請求項９】
前記表示手段によって表示される画面は、前記メール本文と前記添付ファイルの両方を画像形成することを選択可能であることを特徴とする請求項８記載の画像形成装置。
【請求項１０】
前記表示手段によって表示される画面は、画像形成の条件を設定するための設定画面上に、メール本文を画像形成するか添付ファイルを画像形成するかを選択するためのボタンが表示された画面であることを特徴とする請求項８又は９に記載の画像形成装置。
【請求項１１】
前記受信手段によって受信されたメール形式のデータに本文が含まれているか否か、及び、添付ファイルが含まれているか否かを判断する判断手段を更に有し、
前記表示手段は、前記判断手段によってメール本文と添付ファイルの少なくとも何れか一方が含まれていないと判断された場合、前記画面を表示しないことを特徴とする請求項８乃至１０の何れか一項に記載の画像形成装置。
【請求項１２】
前記無線通信は赤外線通信であり、前記画像形成装置は、ユーザによって前記画像形成装置に対して通信開始の指示が入力されることに応じて、前記携帯情報機器と赤外線通信を開始することを特徴とする請求項１乃至７の何れかに記載の画像形成装置。
【請求項１３】
携帯情報機器と無線通信によって通信可能な画像形成装置の制御方法であって、
前記無線通信によって前記携帯情報機器から受信したデータが、メール形式のデータであるか否かを判断する判断ステップと、
前記判断ステップによってメール形式のデータであると判断された場合、当該データに含まれるメール本文を画像形成するか当該データに含まれる添付ファイルを画像形成するかをユーザに選択させるための画面を当該データの受信に応じて表示部に表示し、前記判断ステップによってメール形式のデータでないと判断された場合、画像形成の条件を設定するための設定画面を当該データの受信に応じて表示部に表示する表示ステップと、
を有することを特徴とする制御方法。
【請求項１４】
携帯情報機器と無線通信によって通信可能な画像形成装置の制御方法であって、
前記無線通信によって前記携帯情報機器から送信されたメール形式のデータを受信する受信ステップと、
前記受信ステップによって受信されたメール形式のデータに含まれるメール本文を画像形成するか当該データに含まれる添付ファイルを画像形成するかをユーザに選択させるための画面を、前記受信ステップによる当該データの受信に応じて表示部に表示する表示ステップと、
前記表示ステップによって表示された画面に基づくユーザの選択に従って、前記メール本文又は前記添付ファイルを画像形成する画像形成ステップと、
を有することを特徴とする画像形成装置。
【請求項１５】
携帯情報機器と無線通信によって通信可能な画像形成装置に以下のステップを実行させるためのプログラムであって、
前記無線通信によって前記携帯情報機器から受信したデータが、メール形式のデータであるか否かを判断する判断ステップと、
前記判断ステップによってメール形式のデータであると判断された場合、当該データに含まれるメール本文を画像形成するか当該データに含まれる添付ファイルを画像形成するかをユーザに選択させるための画面を当該データの受信に応じて表示部に表示し、前記判断ステップによってメール形式のデータでないと判断された場合、画像形成の条件を設定するための設定画面を当該データの受信に応じて表示部に表示する表示ステップと、
を有することを特徴とするプログラム。
【請求項１６】
携帯情報機器と無線通信によって通信可能な画像形成装置に以下のステップを実行させるためのプログラムであって、
前記無線通信によって前記携帯情報機器から送信されたメール形式のデータを受信する受信ステップと、
前記受信ステップによって受信されたメール形式のデータに含まれるメール本文を画像形成するか当該データに含まれる添付ファイルを画像形成するかをユーザに選択させるための画面を、前記受信ステップによる当該データの受信に応じて表示部に表示する表示ステップと、
前記表示ステップによって表示された画面に基づくユーザの選択に従って、前記メール本文又は前記添付ファイルを画像形成する画像形成ステップと、
を有することを特徴とするプログラム。